(57)【要約】【課題】熱交換容量を維持しながら熱交換器全体の高さを低くし、また熱交換器の空気吹出口に接近する先端部に結露水が集中することを防止する。【解決手段】筐体１０の空気吸込口１１の側に配置された送風ファン４０と、空気吹出口１２の側に配置された熱交換器２０とを備える。この熱交換器２０は、先端側が空気吹出口１２の側を向くように「＜字形状」に組み立てられた上側熱交換器２１と下側熱交換器２２とを有し、その組み立てられた形態を、上側熱交換器２１の下面が、下側熱交換器２２の空気吹出口１２の側を向く先端部から、空気吹出口１２と反対方向に所定距離だけ離した位置に重なるような形態にする。上側熱交換器２１と下側熱交換器２２の内角θ３を９０度よりも小さい値に設定する。【選択図】図１
2016173204.tif 000002
【特許請求の範囲】
【請求項１】
一方の端部に空気吸込口が設けられ他方の端部に空気吹出口が設けられた筐体と、該筐体の前記空気吸込口と前記空気吹出口との間に形成された空気流通路における前記空気吸込口の側に配置された送風ファンと、前記空気流通路における前記空気吹出口の側に配置された熱交換器とを備え、該熱交換器は、先端が前記空気吹出口の側を向くように「＜字形状」に組み立てられた上側熱交換器と下側熱交換器を有し、その組み立てられた形態を、前記上側熱交換器の下面が、前記下側熱交換器の前記空気吹出口の側を向く先端部から、前記空気吹出口と反対方向に所定距離だけ離した位置に重なるような形態としたダクト型空気調和機において、
前記上側熱交換器と前記下側熱交換器との内角を９０度よりも小さい値に設定したことを特徴とするダクト型空気調和機。
【請求項２】
請求項１に記載のダクト型空気調和機において、
前記下側熱交換器は、前記先端部に、前記熱交換器を前記空気流通路に配置した際に前記空気流通路の通風方向に直交するような面が形成されていることを特徴とするダクト型空気調和機。
【請求項３】
請求項１に記載のダクト型空気調和機において、
前記下側熱交換器の先端部の下角が、丸形状にカットされていることを特徴とするダクト型空気調和機。
【発明の詳細な説明】
【技術分野】
【０００１】
本発明は、室内の天井裏や壁面裏等に配置されるダクト型空気調和機に関する。
【背景技術】
【０００２】
従来のダクト型空気調和機２００として、例えば図６に示すように、室内天井板５０と建屋天井壁６０との間に、吊具Ｂ１、Ｂ２によって懸架されるものがある（例えば、特許文献１）。このダクト型空気調和機２００は、断面が四角形状で筒形状の板金製の筐体１０Ｃと、その筐体１０Ｃ内に配置された熱交換器２０Ｃと、同様に筐体１０Ｃ内に配置された送風ファン４０とで構成されている。この筐体１０Ｃの横方向の一方の端部には空気吸込口１１が形成され、他方の端部には空気吹出口１２が形成され、その空気吸込口１１と空気吹出口１２を結ぶ空気流通路１３内に、前記熱交換器２０Ｃと送風ファン４０が配置されている。
【０００３】
そして、空気吸込口１１は、吸込ダクト７０を介して天井板５０に取り付けられた吸込グリル５１に接続されている。また、空気吹出口１２は、吹出ダクト８０を介して天井板５０の吹出グリル５２に接続されている。
【０００４】
従来では、熱交換器は、その熱交換器が空気流通路１３の空気流通方向に対して直交する方向に、つまり縦方向となるように配置されていたが、このようにすると、その熱交換器の高さ分だけ筐体１０Ｃの内側に空間が必要となって、熱交換容量を大きくする際に筐体の大型化を招いていた。
【０００５】
そこで、図６に示されるように、熱交換器２０Ｃを上側熱交換器２１Ｃと下側熱交換器２２Ｃに分けて構成し、その両者を、側面視で「＜字形状」となるようにを組み合わせ、その先端部分が空気吹出口１２の側を向くように配置することが行われていた。
【０００６】
この場合、上側熱交換器２１Ｃと下側熱交換器２２Ｃの空気吹出口１２に接近する先端部分を、上側熱交換器２１Ｃの下端と下側熱交換器２２Ｃの上端が一致するように突き合わせて組み合わせると、上側熱交換器２１Ｃで発生した結露水が自重でドレンパン（図示せず）に向かって流れるとき、送風ファン４０の風圧によって、上側熱交換器２１Ｃと下側熱交換器２２Ｃを突き合せた部分において、その結露水が空気吹出口１２の方向に飛散する恐れがある。
【０００７】
そこで、特許文献１では、上側熱交換器２１Ｃの下面が、下側熱交換器２２Ｃの空気吹出口１２に接近する先端部から離した位置に重なるような形態、つまり下側熱交換器２２Ｃの先端の上側部分が段差部２２Ｃａとして残るような形態で配置して、前記した結露水がその段差部２２Ｃａの部分で受け止められて、空気吹出口１１の方向への飛散が防止されるようにしている。
【先行技術文献】
【特許文献】
【０００８】
【特許文献１】特開２０１３−０１１３９３号公報
【発明の概要】
【発明が解決しようとする課題】
【０００９】
しかしながら、特許文献１に記載の熱交換器２０Ｃにおいて、上側熱交換器２１Ｃと下側熱交換器２２Ｃの組み合わせが、側面視が「＜字形状」ではあるものの、その内角が９０度となっているので、上側熱交換器２１Ｃの上端と下側熱交換器２２Ｃの下端との間隔、つまり熱交換器２０Ｃの高さを十分に低くすることができず、熱交換容量を維持しながら熱交換器全体の高さを低くすることが困難であった。
【００１０】
また、下側熱交換器２２Ｃの段先端の下角部２２Ｃｂが空気吹出口５０の方向に突出しているので、そこに結露水が集まりやすく、送風ファン４０の風圧によってその結露水が空気吹出口１２の方向に飛散する恐れがあった。
【００１１】
本発明の目的は、熱交換容量を維持しながら熱交換器全体の高さを低くし、また熱交換器の空気吹出口に接近する先端部に結露水が集中することを防止できるようにしたダクト型空気調和機を提供することである。
【課題を解決するための手段】
【００１２】
上記目的を達成するために、請求項１にかかる発明は、一方の端部に空気吸込口が設けられ他方の端部に空気吹出口が設けられた筐体と、該筐体の前記空気吸込口と前記空気吹出口との間に形成された空気流通路における前記空気吸込口の側に配置された送風ファンと、前記空気流通路における前記空気吹出口の側に配置された熱交換器とを備え、該熱交換器は、先端が前記空気吹出口の側を向くように「＜字形状」に組み立てられた上側熱交換器と下側熱交換器を有し、その組み立てられた形態を、前記上側熱交換器の下面が、前記下側熱交換器の前記空気吹出口の側を向く先端部から、前記空気吹出口と反対方向に所定距離だけ離した位置に重なるような形態としたダクト型空気調和機において、前記上側熱交換器と前記下側熱交換器との内角を９０度よりも小さい値に設定したことを特徴とする。
【００１３】
請求項２にかかる発明は、請求項１に記載のダクト型空気調和機において、前記下側熱交換器は、前記先端部に、前記熱交換器を前記空気流通路に配置した際に前記空気流通路の通風方向に直交するような面が形成されていることを特徴とする。
【００１４】
請求項３にかかる発明は、請求項１に記載のダクト型空気調和機において、前記下側熱交換器の先端部の下角が、丸形状にカットされていることを特徴とする。
【発明の効果】
【００１５】
本発明によれば、熱交換容量を維持しながら熱交換器全体の高さを低くでき、また熱交換器の先端部に結露水が集中することを防止できる利点がある。
【図面の簡単な説明】
【００１６】
【図１】本発明の実施例のダクト型空気調和機の断面図である。
【図２】図１のダクト型空気調和機に組み込まれる熱交換器の側面図である。
【図３】（ａ）は図１のダクト型空気調和機に組み込まれる熱交換器の上熱交換器の側面図、（ｂ）は下熱交換器の側面図である。
【図４】図１のダクト型空気調和機に組み込まれる熱交換器の斜視図である。
【図５】別の実施例の熱交換器の側面図である。
【図６】従来のダクト型空気調和機の取付説明図である。
【発明を実施するための形態】
【００１７】
図１に本発明の実施例のダクト型空気調和機１００を示す。１０は板金製の筐体であり、熱交換器用の筐体１０Ａと送風ファン用の筐体１０Ｂとを組み合わせて構成されている。筐体１０Ａには、相対向するように空気吹出口１２と空気流通口１４が形成され、内部には熱交換器２０が配置され、その底面にドレンパン３０が配置されている。筐体１０Ｂには、相対向するように空気吸込口１１と空気流通口１５が形成され、内部に送風ファン４０が配置されている。筐体１０Ａと筐体１０Ｂは、空気流通口１４と空気流通口１５が連通して、空気吸込口１１から空気吹出口１２に至る空気流通路１３が形成されるように組み立てられる。
【００１８】
熱交換器２０は、上側熱交換器２１の下端を下側熱交換器２２の先端部の上面に重ねることで、側面視で「＜字形状」に組み立てられている。そして、上側熱交換器２１の下端部と下側熱交換器２２の上端部が突き合わされた先端が、空気吹出口１２を向くように配置されている。
【００１９】
ドレンパン３０には、熱交換器２０で生じた結露水を受け止めて外部に排出するためのドレインパイプ（図示せず）が結合されている。
【００２０】
送風ファン４０には、ファンケース４１内に図示しないモータによって回転駆動される羽根車４２を備えた遠心送風型のシロッコファンが用いられ、空気吸込口１１から空気を吸い込んで空気流通口１５，１４を介して熱交換器２０の方向に吹き出す。
【００２１】
熱交換器２０において、上側熱交換器２１は、一対の側板２１ａ，２１ｂの間に架け渡された複数の冷媒配管２１ｃと、各冷媒配管２１ｃに取り付けられた複数枚のフィン板２１ｄを備える。下側熱交換器２２も同様に、一対の側板２２ａ，２２ｂの間に架け渡された複数の冷媒配管２２ｃと、各冷媒配管２２ｃに取り付けられた複数枚のフィン板２１ｄを備える。なお、上熱交換器２１と下熱交換器２２は、さらに各冷媒配管２１ｃを連結するＵ字配管や各冷媒配管２２ｃを連結するＵ字配管を備えるが、本発明には直接関連しないので、詳しい説明は省略する。
【００２２】
また、上側熱交換器２１には、図３（ａ）に示すように、下端部２１ｅにθ１（＝約３０度）のカット面２１ｆが形成されている。下側熱交換器２２にも、図３（ｂ）に示すように、下端部２２ｅにθ２（＝約３０度）のカット面２２ｆが形成されている。
【００２３】
上側熱交換器２１と下側熱交換器２２の組み立ては、図２に示すように、上側熱交換器２１の下端部２１ｅのカット面２１ｆを下面として、下側熱交換器２２の下端部２２ｅの上面２２ｇに重ねた状態に組み立てるが、その際に、上側熱交換器２１の下端部２１ｅのカット面２１ｆを、下側熱交換器２２の下端部２２ｅのカット面２２ｆの先端２２ｈから距離Ｌ１だけ離して（図２において右側にずらして）、重ねる。このとき、下側熱交換器２２の下端部２２ｅの上面２２ｇには、先端２２ｈの方向に上り傾斜の段差部２２ｉが形成される。
【００２４】
これにより、上側熱交換器２１と下側熱交換器２２は、上側熱交換器２１と下側熱交換器２２の内角θ３が約６０度となった「＜字形状」に組み立てられる。
【００２５】
そして、筐体１０Ａ内に、熱交換器２０を、上側熱交換器２１が空気流通路１３の流通方向に沿ったラインＬ２（図２参照）に対して３０度となるように図２において左下がりに傾斜させて配置すると、下側熱交換器２２の下端部２２ｅのカット面２２ｆは、そのラインＬ２に対して直交する面になる。したがって、ダクト型空気調和機１００を水平に設置すると、下側熱交換器２２のカット面２２ｆは、鉛直方向に平行な平面となる。
【００２６】
以上により、熱交換器２０の高さＨａは、ラインＬ２から上側熱交換器２１の上端２２ｊまでの高さＨ１と、下側熱交換器２２の下端２２ｊからラインＬ２までの高さＨ２とを加算した値となる。
【００２７】
ここで、上側熱交換器２１の長さがＤ１、下側熱交換器２２が長さＤ２であるとすると、高さＨａは、
Ｈａ＝Ｈ１＋Ｈ２＝（Ｄ１＋Ｄ２）×ｓｉｎ３０°
＝（Ｄ１＋Ｄ２）×０．５
となる。
【００２８】
一方、内角が９０度となるように「＜字形状」に組み合わせる図６で説明した従来例においては、上側熱交換器２１Ｃの長さがＤ１、下側熱交換器２２Ｃが長さＤ２であるとすると、高さＨｂは、
Ｈｂ＝Ｈ１＋Ｈ２＝（Ｄ１＋Ｄ２）×ｓｉｎ４５°
＝（Ｄ１＋Ｄ２）×０．７
となる。
【００２９】
このように、本実施例の熱交換器２０の高さＨａは、図６で説明した熱交換器２０Ｃの高さＨｂよりも２９％も低くできる。このため、図６に示した熱交換器ではその高さＨｂが高くなるので、これに対応するためには、筐体１０Ｃの高さを高くしたり、あるいは上側熱交換器２１Ｃと下側熱交換器２２Ｃの少なくとも一方を小型化する必要があるが、本実施例ではそのような対策を必要とせず、熱交換容量を維持したまま、つまり熱交換器の大きさを維持したまま、熱交換器全体の高さＨａを低くできる。
【００３０】
また、本実施例では、上側熱交換器２１を伝わってその上側熱交換器２１の下端部２１ｅに結露水が集まっても、下側熱交換器２２の下端部２２ｅの上面２２ｇに設けた段差部２２ｉが風圧に対する抵抗要素となってその結露水が空気吹出口１１の方向に飛散することが抑制される。
【００３１】
さらに、下側熱交換器２２の下端部２２ｅに、ダクト型空気調和機１００を水平に設置した際に垂直になるカット面２２ｆを設けているので、その下側熱交換器２２の下端部２２ｅにたまった結露水は前方ではなく、下方向に移動してドレンパン３０に落下したり、あるいは下側熱交換器２２の下面を伝わってドレンパン３０に導かれ、空気吹出口１１に飛散する結露水を大幅に削減することができる。
【００３２】
なお、以上の実施例で説明した熱交換器２０では、下側熱交換器２２のカット面２２ｅの下端に角部２２ｋが形成されているが、この角部２２ｋの代わりに、図５に示すように滑らかなＲ曲面となるような丸形状の円形部２２ｍに形成すれば、結露水が滑らかに下側熱交換器２２の下端部２２ｅから下面に伝わるようになる。
【符号の説明】
【００３３】
１０，１０Ｃ：筐体、１０Ａ：熱交換器用の筐体、１０Ｂ：送風ファン用の筐体、１１：空気吸込口、１２：空気吐出口、１３：空気流通路、１４，１５：空気流通口
２０，２０Ｃ：熱交換器
２１，２１Ｃ：上側熱交換器、２１ａ，２１ｂ：側板、２１ｃ：冷媒配管、２１ｄ：フィン板、２１ｅ：下端部、２１ｆ：カット面、２１ｊ：上端
２２，２２Ｃ：下側熱交換器、２２ａ，２２ｂ：側板、２２ｃ：冷媒配管、２２ｄ：フィン板、２２ｅ：下端部、２２ｆ：カット面、２２ｇ：上面、２２ｈ：先端、２２ｉ：段差部、２２ｋ：角部、２２ｊ：上端、２２ｍ：円形部
３０：ドレンパン
４０：送風ファン、４１：ファンケース、４２：羽根車
５０：天井板、５１：吸込グリル、５２：吹出グリル
６０：建屋天井壁
７０：吸込ダクト
８０：吹出ダクト
【図１】
2016173204.tif 000003
【図２】
2016173204.tif 000004
【図３】
2016173204.tif 000005
【図４】
2016173204.tif 000006
【図５】
2016173204.tif 000007
【図６】
2016173204.tif 000008